(57)【要約】反射シートが収容されたシャーシを備える照明装置において、反射シートをシャーシに対して十分に位置決めできると共に反射シートに生じた撓みやシワなどを解消できる技術を提供する。本発明に係るエッジライト型のバックライト装置２４では、反射シート２６が、ＬＥＤユニット３２側の第１の辺２６ａに設けられた反射シート側凹部２６ｓと、第１の辺２６ａと直交する第２の辺２６ｂに設けられた反射シート側凸部２６ｔと、を有している。バックライトシャーシ２２は、シャーシ側凹部２２ｓと、導光板２０の出光面とは反対側の反対面に突出すると共にその凸頂面が反対面と対向するように設けられているシャーシ側凸部２２ｔと、を有している。反射シート側凸部２６ｔはシャーシ側凹部２２ｓに隙間を設けて嵌合され、シャーシ側凸部２２ｔは反射シート側凹部２６ｓに隙間を設けて嵌合されている。
2011081013.tif 000002
【特許請求の範囲】
【請求項１】
光源と、
側面に設けられた入光面と、板面に設けられ、当該入光面から入射した前記光源からの光を外部に出射する出光面と、当該出光面とは反対側の面である反対面と、を有する導光板と、
平面視矩形状をなしており、前記導光板の前記反対面側に配されている反射シートと、
前記光源と前記導光板と前記反射シートとを収容すると共に前記導光板を支持するシャーシと、を備え、
前記光源は、前記導光板の前記入光面と対向して配されており、
前記反射シートは、前記光源側に露出する第１の辺に設けられ、部分的に凹んだ形の反射シート側凹部と、前記第１の辺と直交する第２の辺に設けられ、部分的に突出した形の反射シート側凸部と、を有し、
前記シャーシは、前記反射シート側凸部と対向し、前記反射シートから遠ざかる方向に向かって凹となっているシャーシ側凹部と、前記反射シート側凹部と対向し、前記導光板の反対面側に突出すると共にその凸頂面が前記反対面と対向するように設けられているシャーシ側凸部と、を有し、
前記反射シート側凸部が前記シャーシ側凹部に隙間を設けて嵌合され、前記シャーシ側凸部が前記反射シート側凹部に隙間を設けて嵌合されていることを特徴とする照明装置。
【請求項２】
前記シャーシを平面視したときに、前記導光板が前記反射シートの前記反射シート側凸部以外の外縁を覆っていることを特徴とする請求項１に記載の照明装置。
【請求項３】
前記反射シートは、前記第１の辺と、前記第２の辺と、前記第１の辺とは反対側の第３の辺とにおいて、前記第１の辺と前記第２の辺のみに前記反射シート側凹部と前記反射シート側凸部とが設けられていることを特徴とする請求項１又は請求項２に記載の照明装置。
【請求項４】
前記反射シート側凸部は、当該反射シート側凸部が設けられた辺において、その中心よりも前記光源側に設けられていることを特徴とする請求項１から請求項３のいずれか１項に記載の照明装置。
【請求項５】
前記反射シート側凸部は、一辺に２つ以上設けられていることを特徴とする請求項１から請求項４のいずれか１項に記載の照明装置。
【請求項６】
前記入光面は長手状であり、
前記光源と前記導光板との間に、前記入光面の長手方向に沿って配されている反射部材をさらに備えることを特徴とする請求項１から請求項５のいずれか１項に記載の照明装置。
【請求項７】
前記光源は面状光源であり、
前記光源の光出射側を覆うと共に前記入光面側に凸となるように半球状に屈曲しているレンズ部材をさらに備えることを特徴とする請求項１から請求項６のいずれか１項に記載の照明装置。
【請求項８】
請求項１から請求項７のいずれか１項に記載の照明装置からの光を利用して表示を行う表示パネルを備えることを特徴とする表示装置。
【請求項９】
前記表示パネルが液晶を用いた液晶パネルであることを特徴とする請求項８に記載の表示装置。
【請求項１０】
請求項８又は請求項９に記載の表示装置を備えることを特徴とするテレビ受信装置。
【発明の詳細な説明】
【技術分野】
【０００１】
本発明は、照明装置、表示装置及びテレビ受信装置に関する。
【背景技術】
【０００２】
近年、テレビ受信装置をはじめとする画像表示装置の表示素子は、従来のブラウン管から液晶パネルやプラズマディスプレイパネルなどの薄型表示素子を適用した薄型表示装置に移行しつつあり、画像表示装置の薄型化を可能としている。液晶表示装置は、これに用いる液晶パネルが自発光しないため、別途に照明装置としてバックライト装置を必要としている。【０００３】
バックライト装置は、一般的に、光源と、光源からの光を導光する導光板と、導光板の出光面とは反対側の板面に沿って配され、導光板から漏れた光を再び導光板へ入射させる反射シートと、これらの光源、導光板、反射シートなどを収容するシャーシと、を備えた構成となっている。導光板は、シャーシに支持されることによって、シャーシに対して位置決めされる。反射シートは、例えば、両面テープなどで導光板に固定されることによって、シャーシに対して位置決めされる。【０００４】
このようなバックライト装置において、光源の発光時等に発生した熱によって反射シートが熱変形し、反射シートに撓みやシワ等が生じることがある。反射シートに撓みやシワ等が生じると、導光板の出光面から出射される光に輝度ムラが生じる虞がある。【０００５】
特許文献１に、シャーシに対して位置決めされると共に熱変形などによる撓みやシワなどを解消できる反射シートを備えるバックライト装置が開示されている。このバックライト装置では、反射シートの光源側に露出する辺に直交する２つの辺に、それぞれ反射シートから遠ざかる方向に向かって凸となる凸部が設けられている。また、当該凸部と重なる導光板の部位にも、導光板の厚み方向に沿って凸部が設けられている。シャーシには、反射シートに設けられた凸部や導光板に設けられた凸部と対向し、反射シートや導光板から遠ざかる方向に向かって凹となっている凹部が設けられている。反射シートに設けられた凸部や導光板に設けられた凸部は、シャーシに設けられた凹部に隙間を設けて嵌合されており、これにより、反射シートや導光板はシャーシに対して位置決めされている。特許文献１のバックライト装置によると、反射シートに撓みやシワなどが生じた場合であっても、反射シートとシャーシとの間に設けられた隙間によって、反射シートに生じた撓みやシワなどを解消させることができる。
【先行技術文献】
【特許文献】
【０００６】
【特許文献１】特開２００８−１９８５４０号公報
【０００７】
（発明が解決しようとする課題）
しかしながら、特許文献１のバックライト装置では、反射シートは、反射シートの光源側に露出する辺と直交する一方向においてのみ、シャーシに対して位置決めされる。このため、反射シートをシャーシに対して十分に位置決めすることができない。
【発明の概要】
【０００８】
本発明は、上記の課題に鑑みて創作されたものである。本発明は、反射シートが収容されたシャーシを備える照明装置において、反射シートをシャーシに対して十分に位置決めできると共に反射シートに生じた撓みやシワなどを解消できる技術を提供することを目的とする。また、そのような照明装置を備える表示装置、さらに、そのような表示装置を備えるテレビ受信装置を提供することを目的とする。
【０００９】
（課題を解決するための手段）
本明細書で開示される技術は、光源と、側面に設けられた入光面と、板面に設けられ、当該入光面から入射した前記光源からの光を外部に出射する出光面と、当該出光面とは反対側の面である反対面と、を有する導光板と、平面視矩形状をなしており、前記導光板の前記反対面側に配されている反射シートと、前記光源と前記導光板と前記反射シートとを収容すると共に前記導光板を支持するシャーシと、を備え、前記光源は、前記導光板の前記入光面と対向して配されており、前記反射シートは、前記光源側に露出する第１の辺に設けられ、部分的に凹んだ形の反射シート側凹部と、前記第１の辺と直交する第２の辺に設けられ、部分的に突出した形の反射シート側凸部と、を有し、前記シャーシは、前記反射シート側凸部と対向し、前記反射シートから遠ざかる方向に向かって凹となっているシャーシ側凹部と、前記反射シート側凹部と対向し、前記導光板の反対面側に突出し、その凸頂面が前記反対面と対向するように設けられているシャーシ側凸部と、を有し、前記反射シート側凸部が前記シャーシ側凹部に隙間を設けて嵌合され、前記シャーシ側凸部が前記反射シート側凹部に隙間を設けて嵌合されている照明装置に関する。
【００１０】
上記の照明装置によると、反射シートの光源側に露出する辺と直交する辺だけでなく、反射シートの光源側に露出する辺についてもシャーシに嵌合されるため、直交する二方向において、反射シートをシャーシに対して位置決めすることができる。このため、反射シートをシャーシに対して十分に位置決めすることができる。さらに、反射シートとシャーシとが隙間を設けて嵌合されるため、反射シートに撓みやシワなどが生じた場合であっても、反射シートに生じた撓みやシワなどを解消させることができる。
【００１１】
上記の照明装置では、前記シャーシを平面視したときに、前記導光板が前記反射シートの前記反射シート側凸部以外の外縁を覆っていてもよい。この構成によると、反射シートとシャーシとの間に十分な隙間を設けることができ、反射シートの各辺において、反射シートに生じた撓みやシワなどを十分に解消させることができる。
【００１２】
上記の照明装置では、前記反射シートは、前記第１の辺と、前記第２の辺と、前記第１の辺とは反対側の第３の辺とにおいて、前記第１の辺と前記第２の辺のみに前記反射シート側凹部と前記反射シート側凸部とが設けられていてもよい。この構成によると、第３の辺がシャーシに嵌合されないため、熱変形などにより反射シートに撓みやシワなどが生じた場合に、これらの撓みやシワなどを第３の辺側で効果的に解消させることができる。
【００１３】
上記の照明装置では、前記反射シート側凸部は、当該反射シート側凸部が設けられた辺において、その中心よりも前記光源側に設けられていてもよい。反射シートとシャーシとの嵌合箇所では光の損失が生じやすいが、この構成によると、反射シートとシャーシとの嵌合箇所を光源の近傍に設けることができ、光の損失を低減することができる。
【００１４】
上記の照明装置では、前記反射シート側凸部は、一辺に２つ以上設けられていてもよい。この構成によると、反射シートとシャーシとの嵌合箇所を多くすることができ、反射シートをシャーシに対して効果的に位置決めすることができる。
【００１５】
上記の照明装置では、前記入光面が長手状であり、前記光源と前記導光板との間に、前記入光面の長手方向に沿って配されている反射部材をさらに備えていてもよい。この構成によると、光源から導光板の外へ散乱した光を、第１の反射シートによって導光板に入射させることが可能となる。このため、光源から出射された光の、導光板への入射効率を高めることができる。
【００１６】
上記の照明装置は、前記光源が面状光源であり、前記光源の光出射側を覆うと共に前記入光面側に凸となるように半球状に屈曲しているレンズ部材をさらに備えていてもよい。この構成によると、光源から出射された光が、レンズ部材によって広範囲に拡がるため、導光板の入光面の全体に亘って均一な輝度の光を入射させることができる。
【００１７】
本明細書で開示される技術は、上記の照明装置からの光を利用して表示を行う表示パネルと、を備える表示装置として表現することもできる。また、当該表示パネルを、液晶を用いた液晶パネルとする表示装置も、新規で有用である。また、上記の表示装置を備えるテレビ受信装置も、新規で有用である。上記の表示装置およびテレビによると、表示領域の大面積化を実現することが可能となる。
【００１８】
（発明の効果）
本明細書で開示される技術によれば、反射シートが収容されたシャーシを備える照明装置において、反射シートをシャーシに対して十分に位置決めできると共に反射シートに生じた撓みやシワなどを解消させることができる。
【図面の簡単な説明】
【００１９】
【図１】第１実施例に係るテレビ受信装置ＴＶの分解斜視図を示す。
【図２】液晶表示装置１０の鉛直断面図を示す。
【図３】バックライト装置２４の正面図を示す。
【図４】バックライト装置２４の一部の断面図を示す。
【図５】バックライト装置２４の一部の断面図を示す。
【図６】バックライト装置２４の一部の断面図を示す。
【図７】第２実施例に係るバックライト装置２４の一部の断面図を示す。
【図８】第３実施例に係る液晶表示装置１１０の分解斜視図を示す。
【図９】液晶表示装置１１０の鉛直断面図を示す。
【図１０】バックライト装置１２４の一部の断面図を示す。
【発明を実施するための形態】
【００２０】
（第１実施例）
図面を参照して実施例を説明する。なお、各図面の一部にはＸ軸、Ｙ軸およびＺ軸を示しており、各軸方向が各図面で共通した方向となるように描かれている。このうちＹ軸方向は、鉛直方向と一致し、Ｘ軸方向は、水平方向と一致している。また、特に断りがない限りは、上下の記載については鉛直方向を基準とする。
【００２１】
図１に、第１実施例に係るテレビ受信装置ＴＶの分解斜視図を示す。図１に示すように、テレビ受信装置ＴＶは、液晶表示装置１０と、当該液晶表示装置１０を挟むようにして収容する表裏両キャビネットＣａ、Ｃｂと、電源Ｐと、チューナーＴと、スタンドＳと、を備えている。
【００２２】
図２に、液晶表示装置１０の模式的な鉛直断面図を示す。ここで、図２に示す上側を表側とし、同図下側を裏側とする。図２に示すように、液晶表示装置１０は、全体として横長の方形を成し、表示パネルである液晶パネル１６と、外部光源であるバックライト装置２４とを備え、これらが枠状をなすベゼル１２などにより一体的に保持されるようになっている。
【００２３】
続いて、液晶パネル１６について説明する。液晶パネル１６は、透明な（高い透光性を有する）一対のガラス基板が所定のギャップを隔てた状態で貼り合わせられるとともに、両ガラス基板間に液晶層（図示しない）が封入された構成とされる。一方のガラス基板には、互いに直交するソース配線とゲート配線とに接続されたスイッチング素子（例えばＴＦＴ）と、そのスイッチング素子に接続された画素電極、さらには配向膜等が設けられ、他方のガラス基板には、Ｒ（赤色），Ｇ（緑色），Ｂ（青色）等の各着色部が所定配列で配置されたカラーフィルタや対向電極、さらには配向膜等が設けられている。このうち、ソース配線、ゲート配線および対向電極などには、図示しない駆動回路基板から画像を表示するのに必要な画像データや各種制御信号が供給されるようになっている。なお、両ガラス基板の外側には偏光板（図示しない）が配されている。
【００２４】
続いて、バックライト装置２４について説明する。図２に示すように、バックライト装置２４は、バックライトシャーシ２２と、光学部材１８と、フレーム１４と、を備えている。バックライトシャーシ２２は、表側（光出射側、液晶パネル１６側）に開口した略箱型をなしている。光学部材１８は、導光板２０の表側（出光面２０ａ側）に載置されている。フレーム１４は、枠状をなしており、内縁に沿って液晶パネル１６を支持している。さらに、バックライトシャーシ２２内には、ＬＥＤ（Light Emitting Diode）ユニット３２と、導光板２０と、が収容されている。ＬＥＤユニット３２は、バックライトシャーシ２２の一方の長辺側外縁２２ｂに配されており、光を出射する。導光板２０の一方の側面（入光面）２０ａは、ＬＥＤユニット３２に対向する位置に配されており、当該ＬＥＤユニット３２から出射される光を液晶パネル１６側へ導く。また、この導光板２０の表側には、光学部材１８が載置されている。本実施例では、バックライト装置２４は、導光板２０および光学部材１８が液晶パネル１６の直下に配されていると共に光源であるＬＥＤユニット３２が導光板２０の側端部に配されてなる、いわゆるエッジライト方式（サイドライト方式）を採用している。
【００２５】
バックライトシャーシ２２は、例えばアルミ系材料などの金属製とされ、平面視矩形状をなす底板２２ａと、底板２２ａの両長辺および両短辺の各外縁からそれぞれ表側へ立ち上がる側板２２ｂ，２２ｃと、から構成されている。バックライトシャーシ２２内においてＬＥＤユニット３２と対向する空間が、導光板２０用の収容空間となっている。底板２２ａの裏側には、ＬＥＤユニット３２に電力を供給する電源回路基板等が取り付けられている。
【００２６】
光学部材１８は、導光板２０側から順に、拡散板１８ａ、拡散シート１８ｂ、レンズシート１８ｃ、反射型偏光板１８ｄが積層されたものである。拡散シート１８ｂ、レンズシート１８ｃ、反射型偏光板１８ｄは、ＬＥＤユニット３２から出射され、拡散板１８ａを通過した光を面状の光とする機能を有している。反射型偏光板１８ｄの上面側には液晶パネル１６が設置されており、光学部材１８は導光板２０と液晶パネル１６との間に配されている。
【００２７】
導光板２０は、矩形状の板状部材とされ、アクリル等の透光性の大きい（透明度の高い）樹脂により形成されており、バックライトシャーシ２２によって支持されている。導光板２０は、図２に示すように、ＬＥＤユニット２６とバックライトシャーシ２２の一方の側板２２ｃとの間に、主板面である出光面２０ｂを拡散板１８ａ側に向ける形で配されている。このような導光板２８が配設されることにより、ＬＥＤユニット２６から生じた光は、導光板２８の入光面２０ａから入射して拡散板１８ａと対向する出光面２０ｂから出射することで、液晶パネル１２をその背面側から照射する。
【００２８】
導光板２０の出光面２０ｂとは反対側の反対面２０ｃには、反射シート２６が配されている。反射シート２６は、導光板２０から漏れた光を反射させることで再び導光板２０の内部へ光を戻す役割を果たしている。なお、反射シート２６については、他の図面を参照しつつ詳細に説明する。
【００２９】
図３に、バックライト装置２４の正面図を示す。なお、反射シート２６の表側には導光板２０が配されているが、図３では説明のため、導光板２０を透明化して示している。図３に示すように、ＬＥＤユニット３２は、樹脂製の矩形状をなすＬＥＤ基板３０に、白色発光する複数のＬＥＤ光源２８が一列に並列配置した構成となっている。ＬＥＤ光源２８は、導光板２０の入光面２０ａと対向して配されている。ＬＥＤユニット３２は、導光板２０の入光面２０ａにＬＥＤ光源２８が対向する形で、バックライトシャーシ２２の一方の長辺外縁部２２ｂに、例えばビス留め等により取り付けられている。
【００３０】
図３に示すように、反射シート２６は、ＬＥＤ光源２８側に露出する第１の辺２６ａと、第１の辺２６ａと直交する第２の辺２６ｂと、第１の辺２６ａとは反対側の第３の辺２６ｃと、を有している。第１の辺２６ａには、部分的に凹んだ形の反射シート側凹部２６ｓが設けられている。第２の辺２６ｂには、部分的に突出した形の反射シート側凸部２６ｔが設けられている。反射シート側凸部２６ｔは、２つの第２の辺２６ｂにおいて、一辺にそれぞれ２つずつ設けられている。第３の辺２６ｃには、凹部や凸部は設けられていない。
【００３１】
バックライトシャーシ２２には、シャーシ側凹部２２ｓと、シャーシ側凸部２２ｔと、が設けられている。シャーシ側凹部２２ｓは、反射シート側凸部２６ｔと対向し、反射シート２６から遠ざかる方向に向かって凹となっている。シャーシ側凸部２２ｔは、反射シート側凹部２６ｓと対向し、導光板２０の反対面２０ｃ側に突出し、その凸頂面２２ｔ１が反対面２０ｃと対向している。
【００３２】
バックライト装置２４では、反射シート側凸部２６ｔが、シャーシ側凹部２２ｓに嵌合され、シャーシ側凸部２２ｔが、反射シート側凹部２６ｓに嵌合されている。また、図３に示すように、バックライトシャーシ２２を平面視したときに、導光板２０は、反射シート２６の反射シート側凸部２６ｔ以外の外縁を覆うように配されている。
【００３３】
図４に、バックライト装置２４の一部を拡大した断面図を示す。図４の断面図は、図３のIV-IV断面を示している。図４に示すように、シャーシ側凸部２２ｔは、シャーシ２２の底板２２ａから導光板２０の反対面２０ｃに向かって突出する形で、導光板２０の反対面２０ｃよりも反射シート２６側に設けられている。また、シャーシ側凸部２２ｔは、反射シート側凹部２６ｓに隙間２７ａを設けて嵌合されている。
【００３４】
図５に、バックライト装置２４の他の一部を拡大した断面図を示す。図５の断面図は、図３のV-V断面を示している。図５に示すように、反射シート２６の凹部や凸部が設けられていない部位では、導光板２０と反射シート２６とが、平面上に略等しい範囲で重なるようにそれぞれ配されている。
【００３５】
図６に、バックライト装置２４の他の一部を拡大した断面図を示す。図６の断面図は、図３のVI-VI断面を示している。図６に示すように、反射シート側凸部２６ｔは導光板２０の側面よりも外側に延びている。また、反射シート側凸部２６ｔは、シャーシ側凹部２２ｓに隙間２７ｂを設けて嵌合されている。
【００３６】
本実施例のテレビ受信装置ＴＶについて詳しく説明した。本実施例に係るテレビ受信装置ＴＶのバックライト装置２４では、反射シート２６のＬＥＤユニット３２側に露出する辺と直交する辺（第２の辺２６ｂ）だけでなく、反射シートの光源側に露出する辺（第１の辺２６ａ）についてもバックライトシャーシ２２に嵌合される。これにより、直交する二方向（Ｘ軸方向及びＹ軸方向）において、反射シート２６をバックライトシャーシ２２に対して位置決めすることができる。このため、反射シート２６をバックライトシャーシ２２に対して十分に位置決めすることができる。さらに、反射シート２６とバックライトシャーシ２２とが隙間２７ａ、２７ｂを設けて嵌合されるため、反射シート２６に撓みやシワなどが生じた場合であっても、反射シート２６に生じた撓みやシワなどを解消させることができる。
【００３７】
また、上記の実施例では、導光板２０がバックライトシャーシ２２によって支持されており、かつ、反射シート２６がバックライトシャーシ２２に対して位置決めされているため、導光板２０と反射シート２６とが相対変位し難い。このため、導光板２０から漏れた光を再び導光板２０へ入射させる反射シート２６の機能を十分に発揮させることができる。
【００３８】
また、シャーシ側凸部２２ｔが導光板２０の厚さ方向（Ｚ軸方向）に沿って設けられた場合、ＬＥＤユニット３２から入光面２０ａに向かって出射された光がシャーシ側凸部２２ｔによって遮られ、導光板２０内に暗部が発生する虞がある。本実施例のバックライト装置２４では、シャーシ側凸部２２ｔが導光板２０の反対面２０ｃよりも反射シート２６側に設けられているため、ＬＥＤユニット３２から入光面２０ａに向かって出射された光がシャーシ側凸部２２ｔによって遮られない。このため、反射シート２６の第１の辺２６ａ（ＬＥＤユニット３２が配された側）が嵌合される場合であっても、導光板２０内に暗部を発生させることなくＬＥＤユニット３２からの光を入光面２０ａに入射させることができる。
【００３９】
また、反射シート２６の第１の辺２６ａに凸部が設けられた場合、ＬＥＤユニット３２を導光板２０の入光面２０ａに近づけることによって、当該凸部がＬＥＤユニット３２の下側に配置され、反射シート２６が、直交する二方向（Ｘ軸方向及びＹ軸方向）だけでなく、導光板２０の厚み方向（Ｚ方向）においても位置決めされることとなる。この場合、ＬＥＤユニット３２の近傍の反射シート２６に生じた撓みやシワなどを十分に解消させることができない。本実施例のバックライト装置２４では、反射シート２６の第１の辺２６ａに反射シート側凹部２６ｓが設けられているため、反射シート２６が、導光板２０の厚み方向（Ｚ方向）において位置決めされることがなく、ＬＥＤユニット３２の近傍の反射シート２６に生じた撓みやシワなども十分に解消させることができる。
【００４０】
また、上記の実施例では、バックライトシャーシ２２を平面視したときに、導光板２０が反射シート２６の反射シート側凸部２６ｔ以外の外縁を覆っている。このため、反射シート２６とバックライトシャーシ２２との間に十分な隙間を設けることができ、反射シート２６の各辺において、反射シート２６に生じた撓みやシワなどを十分に解消させることができる。
【００４１】
また、上記の実施例では、反射シート２６は、第１の辺２６ａと第２の辺２６ｂのみに反射シート側凹部２６ｓと反射シート側凸部２６ｔとが設けられ、第１の辺２６ａとは反対側の第３の辺２６ｃには凹部や凸部が設けられていない。このため、第３の辺２６ｃがバックライトシャーシ２２に嵌合されず、熱変形などにより反射シート２６に撓みやシワなどが生じた場合に、これらの撓みやシワなどを第３の辺２６ｃ側で効果的に解消させることができる。
【００４２】
また、上記の実施例では、反射シート側凸部２６ｔが、反射シート側凸部２６ｔが設けられた辺において、その中心２６ｚよりもＬＥＤユニット３２側に設けられている。このため、反射シート２６とバックライトシャーシ２２との嵌合箇所をＬＥＤユニット３２の近傍に設けることができ、光の損失を低減することができる。
【００４３】
また、上記の実施例では、反射シート側凸部２６ｔが、一辺に２つ以上設けられている。このため、反射シート２６とバックライトシャーシ２２との嵌合箇所を多くすることができ、反射シート２６をバックライトシャーシ２２に対して効果的に位置決めすることができる。
【００４４】
（第２実施例）
図７に、第２実施例に係るバックライト装置７４の一部を拡大した断面図を示す。第２実施例は、シャーシ側凸部７２ｔの形態が、第１実施例のものと異なっている。その他の構成については上記の第１実施例と同じであるため、構造、作用、および効果の説明は省略する。なお、図７において、図４の参照符号に数字５０を加えた部材は、第１実施例で説明した部材と同一であり、図７は、第１実施例に係るバックライト装置２４の図４で説明した部位に相当する部位の断面を示している。
【００４５】
第２実施例のバックライト装置７４では、シャーシ側凸部７２ｔが、バックライトシャーシ７２の底板７２ａから導光板７０の反対面７０ｃ側に突出すると共にバックライトシャーシ７２の側板７２ｂから反射シート側凹部７６ｓに向かって延びる形態を成している。シャーシ側凸部７２ｔがこのような形態であっても、反射シート７６をバックライトシャーシ７２に対して十分に位置決めすることができると共に反射シート７６に撓みやシワなどが生じた場合であっても、反射シート２６に生じた撓みやシワなどを解消させることができる。
【００４６】
（第３実施例）
図８に、第３実施例に係る液晶表示装置１１０の分解斜視図を示す。ここで、図８に示す上側を表側とし、同図下側を裏側とする。図８に示すように、液晶表示装置１１０は、全体として横長の方形を成し、表示パネルである液晶パネル１１６と、外部光源であるバックライト装置１２４とを備え、これらがトップベゼル１１２ａ、ボトムベゼル１１２ｂ、サイドベゼル１１２ｃ（以下、ベゼル群１１２ａ〜１１２ｃと称する）等により一体的に保持されるようになっている。なお、液晶パネル１１６の構成については、第１実施例のものと同様の構成であるため、説明を省略する。
【００４７】
以下、バックライト装置１２４について説明する。図８に示すように、バックライト装置１２４は、バックライトシャーシ１２２と、光学部材１１８と、トップフレーム１１４ａと、ボトムフレーム１１４ｂと、サイドフレーム１１４ｃと（以下、フレーム群１１４ａ〜１１４ｃと称する）、反射シート１２６と、を備えている。液晶パネル１１６は、ベゼル群１１２ａ〜１１２ｃとフレーム群１１４ａ〜１１４ｃとによって挟持されている。なお、参照符号１１３は、液晶パネルを駆動するための駆動回路基板１１５（図９参照）を絶縁するための絶縁シートである。バックライトシャーシ１２２は、表側（光出射側、液晶パネル１１６側）に開口し、底面を有した略箱型をなしている。光学部材１１８は、導光板１２０の表側に配されている。反射シート１２６は、導光板１２０の裏側に配されている。さらに、バックライトシャーシ１２２内には、一対のケーブルホルダ１３１と、放熱板（取付放熱板）１１９と、ＬＥＤユニット１３２と、導光板１２０と、が収容されている。バックライトシャーシ１２２の裏面には、ＬＥＤユニット１３２に電力を供給する電源回路基板（図示しない）や、当該電源回路基板を保護するための保護カバー１２３等が取り付けられている。一対のケーブルホルダ１３１は、バックライトシャーシ１２２の短辺方向に沿って配されており、ＬＥＤユニット１３２と電源回路基板との間を電気的に接続する配線を収容する。
【００４８】
反射シート１２６の構成については、第１実施例のものと同様であり、反射シート１２６の第１の辺１２６ａに、反射シート側凹部１２６ｓが設けられ、反射シート１２６の第２の辺１２６ｂに、反射シート側凸部１２６ｔが設けられている。また、バックライトシャーシ１２２の構成についても第１実施例のものと同様に、反射シート側凸部１２６ｔと対向する部位にシャーシ側凹部１２２ｓが設けられ、反射シート側凹部１２６ｓと対向する部位にシャーシ側凸部１２２ｔが設けられている。反射シート側凸部１２６ｔはシャーシ側凹部１２２ｓに隙間を設けて嵌合され、シャーシ側凸部１２２ｔは反射シート側凹部１２６ｓに隙間を設けて嵌合される。
【００４９】
図９に、バックライト装置１２４の鉛直断面図を示す。図９の鉛直断面図は、バックライト装置１２４を、反射シート側凹部１２６ｓを通過するＹＺ平面で断面視したときの断面構成を示している。図９に示すように、バックライトシャーシ１２２は、底面１２２ｚを備える底板１２２ａと、底板１２２ａの外縁から浅く立ち上がる側板１２２ｂ，１２２ｃと、から構成され、少なくともＬＥＤユニット１３２と導光板１２０とを支持している。また、放熱板１１９は、底面部１１９ａと、底面部１１９ａの一方の長辺側外縁から立ち上がる側面部１１９ｂと、から構成される水平断面Ｌ字型の形状を成しており、放熱板１１９がバックライトシャーシ１２２の一方の長辺方向に沿うように配されている。放熱板１１９の底面部１１９ａは、バックライトシャーシ１２２の底板１２２ａに固定されている。ＬＥＤユニット１３２は、バックライトシャーシ１２２の一方の長辺方向に沿って延びており、光出射側が導光板１２０の入光面に対向する形で放熱板１１９の側面部１１９ｂに固定されている。従って、ＬＥＤユニット１３２は、放熱板１１９を介してバックライトシャーシ１２２の底板１２２ａに支持されている。放熱板１１９は、ＬＥＤユニット１３２に発生した熱を、バックライトシャーシ１２２の底板１２２ａを介してバックライト装置１２４の外部へ放熱する。
【００５０】
図９に示すように、導光板１２０は、ＬＥＤユニット１３２とバックライトシャーシの一方の側板１２２ｃとの間に配されている。ＬＥＤユニット１３２と導光板１２０と光学部材１１８は、フレーム群１１４ａ〜１１４ｃとバックライトシャーシ１２２とによって挟持されている。また、図９に示すように、ボトムフレーム１１４ｂの表側には、駆動回路基板１１５が配されている。駆動回路基板１１５は、表示パネル１１６と電気的に接続されており、画像を表示するのに必要な画像データや各種制御信号を液晶パネル１１６に供給する。また、導光板１２０は長手状をなしており、ボトムフレーム１１４ｂの表面であってＬＥＤユニット１３２と対向する部位には、導光板１２０の長辺方向（Ｙ軸方向）に沿って反射部材１３４ａが配されている。バックライトシャーシ１２２の底面１２２ｚであってＬＥＤユニット１３２と対向する部位にも、導光板１２０の長辺方向に沿って反射部材１３４ｂが配されている。
【００５１】
図１０に、図９におけるＬＥＤユニット１３２の近傍を拡大した断面図を示す。図９に示すように、シャーシ側凸部１２２ｔは、反射シート側凹部１２６ｓに隙間１２７ａを設けて嵌合されている。また、ＬＥＤユニット１３２は、ＬＥＤ基板１３０に、白色発光するＬＥＤ光源１２８が配置されており、ＬＥＤ光源１２８の光出射側を、入光面１２０ａ側に凸となるように屈曲している半球状のレンズ部材１３５が覆っている構成となっている。
【００５２】
本実施例のバックライト装置によると、反射部材１３４ａ、１３４ｂが設けられていることによって、ＬＥＤユニット１３２から導光板１２０の外へ散乱した光を、反射部材１３４ａ、１３４ｂによって導光板１２０に入射させることが可能となる。このため、ＬＥＤユニット１３２から出射された光の、導光板１２０への入射効率を高めることができる。また、ＬＥＤ光源１２８の光出射側を半球状のレンズ部材１３５が覆っていることによって、ＬＥＤ光源１２８から出射された光が、レンズ部材１３５によって広範囲に拡がるため、導光板１２０の入光面１２０ａの全体に亘って均一な輝度の光を入射させることができる。
【００５３】
実施例の構成と本発明の構成との対応関係を記載しておく。ＬＥＤ光源２８、４６、６８、８８が「光源」の一例である。また、バックライトシャーシ２２、７２、１２２が「シャーシ」の一例である。また、バックライト装置２４、８４が「照明装置」の一例である。
【００５４】
上記の各実施例の変形例を以下に列挙する。
【００５５】
（１）上記の各実施例では、白色発光するＬＥＤ光源が実装された構成を採用しているが、例えば赤色、緑色、青色の３種類のＬＥＤ光源が面実装された構成としてもよく、あるいは青色のＬＥＤ光源と黄色蛍光体とを組み合わせた構成としてもよい。または、冷陰極管などの線状光源を採用した構成としてもよい。
【００５６】
（２）反射シート側凹部、反射シート側凸部、シャーシ側凹部、シャーシ側凸部について、これらの数や配置、形態は限定されない。
【００５７】
（３）上記の各実施例では、表示パネルとして液晶パネルを用いた液晶表示装置を例示したが、他の種類の表示パネルを用いた表示装置にも本発明は適用可能である。
【００５８】
（４）上記した各実施例では、チューナーを備えたテレビ受信装置を例示したが、チューナーを備えない表示装置にも本発明は適用可能である。
【００５９】
以上、本発明の実施例について詳細に説明したが、これらは例示に過ぎず、特許請求の範囲を限定するものではない。特許請求の範囲に記載の技術には、以上に例示した具体例を様々に変形、変更したものが含まれる。
【００６０】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００６１】
ＴＶ：テレビ受信装置、Ｃａ、Ｃｂ：キャビネット、Ｔ：チューナー、Ｓ：スタンド、１０、１１０：液晶表示装置、１２：ベゼル、１４：フレーム、１６、１１６：液晶パネル、１８、１１８、光学部材、１８ａ：拡散板、１８ｂ：拡散シート、１８ｃ：レンズシート、１８ｄ：反射型偏光板、２０、７０、１２０：導光板、２０ａ、７０ａ、１２０ａ：入光面、２０ｂ、７０ｂ、１２０ｃ：出光面、２０ｃ、７０ｃ、１２０ｃ：反対面、２２、７２、１２２：バックライトシャーシ、２２ａ、７２ａ、１２２ａ：底板、２２ｂ、２２ｃ、７２ｂ、１２２ｂ、１２２ｃ：側板、２２ｓ：シャーシ側凹部、２２ｔ、７２ｔ、１２２ｔ：シャーシ側凸部、２２ｔ１：凸頂面、２４、７４、１２４：バックライト装置、２６、７６、１２６：反射シート、２６ａ：第１の辺、２６ｂ：第２の辺、２６ｃ：第３の辺、２６ｓ、７６ｓ、１２６ｓ：反射シート側凹部、２６ｔ：反射シート側凸部、２７ａ、２７ｂ、７７ａ、１２７ａ：隙間、２８、７８、１２８：ＬＥＤ光源、３０、８０、１３０：ＬＥＤ基板、３２、８２、１３２：ＬＥＤユニット、１１２ａ：トップベゼル、１１２ｂ：ボトムベゼル、１１２ｃ：サイドベゼル、１１３：絶縁シート、１１４ａ：トップフレーム、１１４ｂ：ボトムフレーム、１１４ｃ：サイドフレーム、１１５：駆動回路基板、１１９：放熱板、１１９ａ：底面部、１１９ｂ：側面部、１２３：保護カバー、１３１：ケーブルホルダ、１３４ａ、１３４ｂ：反射部材、１３５：レンズ部材
【図１】
2011081013.tif 000003
【図２】
2011081013.tif 000004
【図３】
2011081013.tif 000005
【図４】
2011081013.tif 000006
【図５】
2011081013.tif 000007
【図６】
2011081013.tif 000008
【図７】
2011081013.tif 000009
【図８】
2011081013.tif 000010
【図９】
2011081013.tif 000011
【図１０】
2011081013.tif 000012
【国際調査報告】
2011081013.tif 000013
2011081013.tif 000014